(57)【要約】【課題】利用者の負担軽減のため軽微な力で且つワンタッチ操作で車椅子を折り畳むことができるようにする。【解決手段】中央の交差連結部２を介して回転可能に連結している折り畳み可能な前後一対のクロスバー１Ａ，１Ｂを備え、クロスバー１Ａ，１Ｂに対し折り畳み方向に張力を付与すべく付勢手段Ｐを備える。付勢手段Ｐは、クロスバー１Ａ，１Ｂの交差連結部２よりも下側にてクロスバー１Ａ，１Ｂ相互間に対し交差状に張架した一対のコイル発条によるものとし、クロスバー１Ａ，１Ｂの交差連結部２よりも上側には、付勢手段Ｐによる折り畳み方向への張力に抗してクロスバー１Ａ，１Ｂを拡開した状態を維持するようクロスバー１Ａ，１Ｂ相互間に掛架した中央ノブ３位置で回動可能な少なくとも一対のリンク４Ａ，４Ｂ部を突っ張り状に保持する回転レバー式ロック機構Ｑを備える。【選択図】  図１
2004159969.tif 000002
【特許請求の範囲】
【請求項１】
中央の交差連結部を介して回転可能に連結されている折り畳み可能な前後一対のクロスバーを備えた車椅子において、クロスバーに対し折り畳み方向に張力を付与すべく付勢手段を備えたことを特徴とする折り畳み可能な車椅子。
【請求項２】
付勢手段は、クロスバーの交差連結部よりも下側にてクロスバー相互間に対し交差状に張架した一対のコイル発条によるものとした請求項１記載の折り畳み可能な車椅子。
【請求項３】
クロスバーの交差連結部よりも上側には、付勢手段による折り畳み方向への張力に抗してクロスバーを拡開させた状態を維持させるようクロスバー相互間に掛架した中央ノブ位置で回動可能な少なくとも一対のリンク部を突っ張り状に保持させる回転レバー式ロック機構を備えている請求項１または２記載の折り畳み可能な車椅子。
【請求項４】
回転レバー式ロック機構は、中央のノブを持ち上げることによりロック解除してクロスバーを折り畳み可能にした請求項１乃至３のいずれか記載の折り畳み可能な車椅子。
【請求項５】
回転レバー式ロック機構は、中央のノブを座シートに紐材等で連結させ、座シートを持ち上げることによりロック解除してクロスバーを折り畳み可能にした請求項１乃至３のいずれか記載の折り畳み可能な車椅子。
【請求項６】
回転レバー式ロック機構は、中央のノブを取っ手に紐材等で連結させ、取っ手を引き上げることによりロック解除してクロスバーを折り畳み可能にした請求項１乃至３のいずれか記載の折り畳み可能な車椅子。
【請求項７】
回転レバー式ロック機構は、座高を変えずに座幅のみを変更可能にした座幅変更手段に対応してリンク幅を調節可能とすべく一対のリンク部それぞれに対し長さ変更手段を備えた請求項１乃至６のいずれか記載の折り畳み可能な車椅子。
【請求項８】
長さ変更手段は、一対のリンク部を複数に分割構成し、一方の外側リンク部に設けた複数のネジ孔に対応して他方の内側リンク部に長手方向に沿って穿設した長孔部を備え、当該長孔部外側からネジ孔にねじ込まれるボルトの頭部側を当該長孔部に沿ってスライド可能に構成してある請求項７記載の折り畳み可能な車椅子。
【発明の詳細な説明】
【０００１】
【発明の属する技術分野】
本発明は、例えば手動式車椅子等をワンタッチに折り畳むことができる折り畳み可能な車椅子に関する。
【０００２】
【従来の技術】
従来、車椅子を必要とする人が、車椅子に乗らずに旅行とかに出かける場合、自動車のトランクに車椅子を積む必要があり、コンパクトにしなければならない。一方では車椅子のメーカが納品等で荷送りする場合でもコンパクトにする必要があり、特にレデイメード品にはそれが求められる。また、オーダーメイド品では折り畳めない車椅子もある。一般的な車椅子では座幅を狭く折り畳む方式は他にもあるが、構造の簡単さと強度面から略Ｘ形のクロスバー構造が広く用いられているのが実情である。
【０００３】
【発明が解決しようとする課題】
ところが、車椅子を折り畳む場合、一般的には座シートを持ち上げながら行うのであるが、利用者側から見れば、車椅子自体は重量物であり、身体に障害のある方、高齢の方等様々であり非常に負担の大きな動作である。
【０００４】
本発明は、上記従来技術の問題点を解決し、利用者の負担軽減のため軽微な力で且つワンタッチ操作で車椅子を折り畳むことができ、しかも座高を一定に保ちながら座幅のみを連続的もしくは多段階的に調節して設定することができる車椅子にも十分対応できるような折り畳み可能な車椅子を提供することを目的とする。
【０００５】
【課題を解決するための手段】
上記した目的を達成するために、請求項１記載の発明は、中央の交差連結部２を介して回転可能に連結されている折り畳み可能な前後一対のクロスバー１Ａ，１Ｂを備えた車椅子において、クロスバー１Ａ，１Ｂに対し折り畳み方向に張力を付与すべく付勢手段Ｐを備えたことを特徴とする。
【０００６】
また、請求項２記載の発明は請求項１記載の発明において、付勢手段Ｐは、クロスバー１Ａ，１Ｂの交差連結部２よりも下側にてクロスバー１Ａ，１Ｂ相互間に対し交差状に張架した一対のコイル発条によるものとした。
【０００７】
また、請求項３記載の発明は請求項１または２記載の発明において、クロスバー１Ａ，１Ｂの交差連結部２よりも上側には、付勢手段Ｐによる折り畳み方向への張力に抗してクロスバー１Ａ，１Ｂを拡開させた状態を維持させるようクロスバー１Ａ，１Ｂ相互間に掛架した中央ノブ３位置で回動可能な少なくとも一対のリンク部を突っ張り状に保持させる回転レバー式ロック機構Ｑを備えている。
【０００８】
また、請求項４記載の発明は請求項１乃至３のいずれか記載の発明において、回転レバー式ロック機構Ｑは、中央のノブ３を持ち上げることによりロック解除してクロスバー１Ａ，１Ｂを折り畳み可能にした。
【０００９】
また、請求項５記載の発明は請求項１乃至３のいずれか記載の発明において、回転レバー式ロック機構Ｑは、中央のノブ３を座シート１１に紐材１０等で連結させ、座シート１１を持ち上げることによりロック解除してクロスバー１Ａ，１Ｂを折り畳み可能にした。
【００１０】
また、請求項６記載の発明は請求項１乃至３のいずれか記載の発明において、回転レバー式ロック機構Ｑは、中央のノブ３を取っ手９に紐材１０等で連結させ、取っ手９を引き上げることによりロック解除してクロスバー１Ａ，１Ｂを折り畳み可能にした。
【００１１】
また、請求項７記載の発明は請求項１乃至６のいずれか記載の発明において、回転レバー式ロック機構Ｑは、座高を変えずに座幅のみを変更可能にした座幅変更手段に対応してリンク幅を調節可能とすべく一対のリンク部それぞれに対し長さ変更手段Ｒを備えた。
【００１２】
また、請求項８記載の発明は請求項７記載の発明において、長さ変更手段Ｒは、一対のリンク部を複数に分割構成し、一方の外側リンク４Ｂ部に設けた複数のネジ孔７に対応して他方の内側リンク４Ａ部に長手方向に沿って穿設した長孔部８を備え、当該長孔部８外側からネジ孔７にねじ込まれるボルトの頭部側を当該長孔部８に沿ってスライド可能に構成してある。
【００１３】
前述の構成によれば、クロスバー１Ａ，１Ｂに対し折り畳み方向に張力を付与して成る一対のコイル発条による付勢手段Ｐは、一対のリンク部を突っ張り状に保持させてクロスバー１Ａ，１Ｂを拡開状態に維持させている回転レバー式ロック機構Ｑのロック解除によってクロスバー１Ａ，１Ｂを折り畳み方向へ収縮させ、車椅子自体を軽微な力で折り畳み可能にさせる。
【００１４】
回転レバー式ロック機構Ｑにおける長さ変更手段Ｒは、座高を変えずに座幅のみを変更可能にした座幅変更手段に対応してリンク幅を自在に調節可能にさせる。このとき長さ変更手段Ｒは、一方の外側リンク４Ｂ部に設けた複数のネジ孔７に対応して他方の内側リンク４Ａ部に長手方向に沿って穿設した長孔部８の外側から当該ネジ孔７にねじ込まれるボルトの頭部側を当該長孔部８に沿ってスライド移動させることによってリンク幅を変更可能にさせる。
【００１５】
本発明によれば、利用者の負担軽減のため軽微な力で且つワンタッチ操作で車椅子を折り畳むことができ、しかも座高を一定に保ちながら座幅のみを連続的もしくは多段階的に調節して設定することができる車椅子にも十分対応できるものとなる。
【００１６】
【発明の実施の形態】
以下に、図を用いて本発明の一実施の形態について説明する。本発明による車椅子は、図１、図２に示すように、中央の交差連結部２を介して回転可能に連結されている折り畳み可能な前後一対のクロスバー１Ａ，１Ｂを備え、当該クロスバー１Ａ，１Ｂに対し折り畳み方向に張力を付与すべく付勢手段Ｐを備えている。この付勢手段Ｐとしては、クロスバー１Ａ，１Ｂの交差連結部２よりも下側位置にて左右のクロスバー１Ａ，１Ｂ相互間に対し交差状に張架した例えば一対のコイル発条によって形成される。また、クロスバー１Ａ，１Ｂの交差連結部２よりも上側位置には、付勢手段Ｐによる折り畳み方向への張力に抗してクロスバー１Ａ，１Ｂを拡開させた状態を維持させるための回転レバー式ロック機構Ｑを備えている。
【００１７】
すなわち一対のクロスバー１Ａ，１Ｂは、座高を変えずに座幅のみを変更可能となるよう下辺で左右のメインフレーム（図示せず）に対しそれぞれ座幅変更手段（図示せず）を介して連結され、上辺で左右のメインフレームに回動可能に連結され、中央では互いに開閉方向に回転可能な交差連結部２としたクロスバー１Ａ，１Ｂ組立部によって形成され、前記した回転レバー式ロック機構Ｑは、座高を変えずに座幅のみを変更可能にしたこの座幅変更手段に対応してリンク幅を調節可能とすべく一対のリンク部それぞれに対し長さ変更手段Ｒを備えたものである。尚、本実施の形態においては、車椅子の座幅変更手段に対応して回転レバー式ロック機構Ｑに対し長さ変更手段Ｒを備えているが、これに限定されず座幅変更手段を有していない車椅子でも対応可能であることはもちろんである。
【００１８】
図２，図３に示すように、この回転レバー式ロック機構Ｑは、左右一対の外側リンク４Ｂの外側端部をそれぞれのクロスバー１Ａ，１Ｂに六角ボルト・六角ナット等で回転可能となるように締結固定し、外側リンク４Ｂの中央部と内側端部には後述するネジ孔７を設ける一方、左右一対の内側リンク４Ａの外側には前記ネジ孔７に対向して二つの横向きの長孔部８を設け、内側リンク４Ａの内側端部は、六角ボルト・六角ナットによって回動自在に連結されている。また、六角ナット側に突き出された六角ボルトの先端にはノブ３をねじ込み固定し、このノブ３を持ち上げてロック解除することでクロスバー１Ａ，１Ｂを折り畳み可能となるようにしてある。
【００１９】
この回転レバー式ロック機構Ｑがロック状態にあるときは、クロスバー１Ａ，１Ｂ相互間に掛架した左右一対のリンクの中央ノブ３位置を若干Ｖ字形に屈曲させた状態で当該一対のリンクを下方向へ突っ張り状にして保持させるものとしてある。尚、左右一対の外側リンク４Ｂのうち一方側は、これに連繋する内側リンク４Ａ、クロスバー１Ａ，１Ｂに対し相互に干渉しないように略Ｌ字形に屈曲変形してある。また、左右一対の内側リンク４Ａのうち一方側には、上辺位置にストッパー片５を延設してあり、回転レバー式ロック機構Ｑがロック状態にあるときには、このストッパー片５が他方の内側リンク４Ａの上縁部に係止されるようにしてある。
【００２０】
長さ変更手段Ｒは、図２に示すように、一対のリンク部を複数、例えば二つに分割構成し、左右一対の一方の外側リンク４Ｂ部に設けた複数のネジ孔７に対応して左右一対の他方の内側リンク４Ａ部に長手方向に沿って穿設した例えば二つの長孔部８を備え、当該長孔部８外側からネジ孔７に六角ボルトがねじ込まれ、六角ボルトの頭部側寄りのネジ部が当該長孔部８に沿って左右いずれか方向にスライド可能となるように構成してある。
【００２１】
また、座幅変更手段は、クロスバー１Ａ，１Ｂの下辺を支持するよう前後のクロスバー１Ａ，１Ｂに跨って設けられている下辺パイプ６側の支持部、メインフレームとクロスバー１Ａ，１Ｂの交差上側との間に横架支持された平行リンクのメインフレーム側の支持部それぞれの位置を調節するためのものである。
【００２２】
図４に示すように、回転レバー式ロック機構Ｑのロック解除方法としては、中央のノブ３を座シート１１に紐材１０等で連結させ、座シート１１を持ち上げることによりロック解除してクロスバー１Ａ，１Ｂを折り畳み可能にしたり、中央のノブ３を取っ手９に紐材１０等で連結させ、取っ手９を引き上げることによりロック解除してクロスバー１Ａ，１Ｂを折り畳み可能にしたりして構成する。
【００２３】
次に、本実施の形態における装置の使用について説明する。図４に示すように、回転レバー式ロック機構Ｑによってロックされ、一対のリンク部を突っ張り状に保持させてクロスバー１Ａ，１Ｂを拡開状態に維持させている車椅子を折り畳むに際し、ノブ３を持ち上げて回転レバー式ロック機構Ｑのロック解除を行うことによって、クロスバー１Ａ，１Ｂに対し折り畳み方向に張力を付与して成る一対のコイル発条による付勢手段Ｐは、一対のクロスバー１Ａ，１Ｂを折り畳み方向へ強制的に収縮させるため、車椅子自体を軽微な力でもって折り畳められるものとなる。
【００２４】
このとき、回転レバー式ロック機構Ｑは、中央のノブ３を持ち上げる操作以外に、中央のノブ３に紐材１０等で連結させた座シート１１を持ち上げることにより、あるいは中央のノブ３に紐材１０等で連結させた取っ手９を引き上げることによっても容易にロックが解除されてクロスバー１Ａ，１Ｂを折り畳むことができる。
【００２５】
また、座高を変えずに座幅のみを変更可能にした座幅変更手段に対応してリンク幅を調節するに際し、回転レバー式ロック機構Ｑにおける長さ変更手段Ｒにより、一方の外側リンク４Ｂ部に設けた複数のネジ孔７に対応して他方の内側リンク４Ａ部に長手方向に沿って穿設した長孔部８の外側から当該ネジ孔７にねじ込まれるボルトの頭部側を当該長孔部８に沿ってスライド移動させることによってリンク幅を変更する（図２参照）。
【００２６】
このとき、座幅変更手段によって座幅を狭くする場合には、内側リンク４Ａに対し外側リンク４Ｂを内側へスライドさせてからリンク同士をボルトで締結固定する。一方、座幅変更手段によって座幅を広くする場合には、内側リンク４Ａに対し外側リンク４Ｂを外側へスライドさせてからリンク同士をボルトで締結固定する。
【００２７】
【発明の効果】
本発明によれば、利用者の負担軽減のため軽微な力で且つワンタッチ操作で車椅子を折り畳むことができ、しかも座高を一定に保ちながら座幅のみを連続的もしくは多段階的に調節して設定することができる車椅子にも十分対応できる。
【図面の簡単な説明】
【図１】本発明の一実施の形態における付勢手段を備えた折り畳み可能な車椅子の構成部分を示す分解斜視図である。
【図２】同じく使用状態すなわちクロスバーの拡開ロック状態を示す正面図である。
【図３】同じく使用状態すなわちクロスバーの拡開ロック状態を示す平面図である。
【図４】回転レバー式ロック機構のロック解除方法を説明するための正面図である。
【符号の説明】
Ｐ…付勢手段
Ｑ…回転レバー式ロック機構
Ｒ…長さ変更手段
１Ａ，１Ｂ…クロスバー
２…交差連結部
３…ノブ
４Ａ…内側リンク
４Ｂ…外側リンク
５…ストッパー片
６…下辺パイプ
７…ネジ孔
８…長孔部
９…取っ手
１０…紐材
１１…座シート
【図１】
2004159969.tif 000003
【図２】
2004159969.tif 000004
【図３】
2004159969.tif 000005
【図４】
2004159969.tif 000006